(57)【要約】      （修正有）【課題】部品のバラつき、相手部品との組み合わせ、使用による摩耗、経時などにより、摩擦抵抗が軽減され、後軸部と内筒が一体に回転出来なくなり、ロック機構が働かなくなる恐れがあった。【解決手段】軸筒内の前部にチャックを固定した芯タンクを軸線方向に対して摺動可能に収納すると共に、前記チャックを後方へ付勢する弾撥部材を配置し、また、前記芯タンクの外周面を被覆し、且つ、芯タンクの前部から後部へと軸線方向に対して摺動可能な錘を設け、その錘の慣性力で前記芯タンクを前進させ、その芯タンクの動きに連動して、チャックが拡開し、筆記体が順次、繰り出される筆記具において、前記芯タンクの前進状態を維持せしめるロック機構を配置すると共に、そのロック機構を前記芯タンクと連動可能な摺動部材の係合部と、その係合部が係合する開口部が形成された前記軸筒とから構成したノック式シャープペンシル。【選択図】図１
2010149432.tif 000002
【特許請求の範囲】
【請求項１】
軸筒内の前部にチャックを固定した芯タンクを軸線方向に対して摺動可能に収納すると共に、前記チャックを後方へ付勢する弾撥部材を配置し、また、前記芯タンクの外周面を被覆し、且つ、芯タンクの前部から後部へと軸線方向に対して摺動可能な錘を設け、その錘の慣性力で前記芯タンクを前進させ、その芯タンクの動きに連動して、チャックが拡開し、筆記体が順次、繰り出される筆記具において、前記芯タンクの前進状態を維持せしめるロック機構を配置すると共に、そのロック機構を前記芯タンクと連動可能な摺動部材の係合部と、その係合部が係合する開口部が形成された前記軸筒とから構成したことを特徴とするノック式シャープペンシル。
【請求項２】
前記摺動部材を軸筒の後部に配置したノック部材に着脱自在に取り付けると共に、そのノック部材に前記芯タンクを着脱自在に連結したことを特徴とする請求項１記載のノック式シャープペンシル。
【請求項３】
前記筆記体が鉛筆芯であることを特徴とする請求項１、或いは、請求項２に記載のノック式シャープペンシル。
【請求項４】
前記軸筒の開口部にコの字形の板バネ状部を形成したことを特徴とする請求項１〜請求項３の何れかに記載のノック式シャープペンシル。
【請求項５】
前記ノック部材に消去具を着脱自在に配置したことを特徴とする請求項１〜請求項４の何れかに記載のノック式シャープペンシル。
【請求項６】
前記ノック部材に消去具を出没自在に配置したことを特徴とする請求項１〜請求項５の何れかに記載のノック式シャープペンシル。
【発明の詳細な説明】
【技術分野】
【０００１】
本発明は、軸筒内の前部にチャックを固定した芯タンクを軸線方向に対して摺動可能に収納すると共に、前記チャックを後方へ付勢する弾撥部材を配置し、また、前記芯タンクの外周面を被覆し、且つ、芯タンクの前部から後部へと軸線方向に対して摺動可能な錘を設け、その錘の慣性力で前記芯タンクを前進させ、その芯タンクの動きに連動して、チャックが拡開し、筆記体が順次、繰り出される筆記具に関する。
【背景技術】
【０００２】
従来から、軸筒の後端に配置されたノックボタンを押圧もしくは、軸筒を持ち軸線方向に対して前後に振ることにより、前記軸筒内に配置されている筆記体を繰り出す筆記具が知られている。前記筆記体の１例としては、シャープペンシルに使用される比較的細い鉛筆芯やレッドホルダー式の筆記具に使用される比較的太い鉛筆芯などがある。
【０００３】
更に、前軸部と後軸部から構成される筆記具本体の後軸部に副筆記体を有し、前軸部が後軸部に対して着脱自在に取り付けられ、前記後軸部を取り除くことによって、前軸部の後方からシャープペンシルの芯を入れることが可能で、且つ、軸筒の後端配置された後軸部を押圧もしくは、軸筒を持ち軸線方向に対して前後に振ることにより、前記軸筒内に配置されているシャープペンシルの芯を繰り出し、更に、携帯時や繰り返しの振動などでシャープペンシルの芯が繰り出さないようにロック機構が付いている後端ノック式筆記具が知られている。
【０００４】
その一例が、実登２５５７０６３号公報に記載の筆記具である。以下、詳述する。筆記具本体の前軸部には、シャープペンシルの芯を繰り出す繰り出し機構が配置されている。また、前記前軸部の後方には、携帯時や繰り返しの振動などでシャープペンシルの芯が繰り出さないように接合筒が設けられており、その接合筒は溝部が形成され、内筒が前記溝部に嵌り、軸線方向に対して前後に摺動可能で、且つ、前進時に一方向だけ回転し、係止出来るロック機構となっている。一方、後軸部には消しゴム繰り出し機構が配置されており、その後軸部を軸線方向に対して回転させることによって消しゴムが出没するようになっている。
次に、使用方法について説明する。後軸部を押圧すると、後軸部内孔で回転可能に止着された内筒が前進し、連結している芯タンクを前進させ、その動きに連動して、チャックが拡開し、シャープペンシルの芯が順次、繰り出される。また、軸筒を持ち軸線方向に対して前後に振ることにより、芯タンクの外周面を被覆し、且つ、芯タンクの前部から後部へ自重で軸線方向に対して前後、摺動可能な錘の慣性力で芯タンクを前進させ、その動きに連動して、チャックが拡開し、シャープペンシルの芯が順次、繰り出される。
尚、突出した状態にあるシャープペンシルの芯を没入させたい場合には、再び後軸部を押圧してチャックを拡開させる。そして、その拡開動作を維持した状態で、シャープペンシルの芯を指などによって没入させる。勿論、チャックを拡開させた状態で紙面や机などに芯を押し当て没入させても良い。
また、シャープペンシルの芯で書いた文字などを消去する場合には、消しゴム繰り出し機構がある後軸部を軸線方向に対して一方向へ回転させる。これによって、後軸部の内径にある螺旋状溝に沿って消しゴムが突出する。使用後、消しゴムを格納したい場合には、後軸部を反対方向に回転させれば良い。
【特許文献１】実登２５５７０６３号公報。
【発明の開示】
【発明が解決しようとする課題】
【０００５】
前記の従来技術では、携帯時や繰り返しの振動などでシャープペンシルの芯が繰り出さないように、ロック機構の部品としての内筒は、後軸部の内径部と内筒は摩擦抵抗を有して一体に回転している。しかし、部品のバラつき、相手部品との組み合わせ、使用による摩耗、経時などにより、摩擦抵抗が軽減され、後軸部と内筒が一体に回転出来なくなり、ロック機構が働かなくなる恐れがあった。更に、ロック時、後軸部を押圧しながら、後軸部を回転させる２つの動作を同時に行わなければならないため、片手での操作がしにくく、特に、手が小さい女性や子供には扱いづらいものであった。また、前記従来技術の第２の実施例では溝部にアンダーカットを付けた構造があるが、ロック解除時、後軸部を軸線方向に対して後方に引き抜く動作を行わなければならなかった。この動作は、シャープペンシルの芯を交換する時と同じ動作であり、前記アンダーカットに抗して力強く引き抜かなくてはならず、その衝撃で芯タンクに内蔵しているシャープペンシルの芯が飛び出し、机上に散らばってしまう恐れがあった。
これらの問題の発生を恐れ、使用者は、シャープペンシルの部品の圧入状態、ロック解除時の状態やシャープペンシルの芯の有無などを常に意識し注意を図らなければならなかった。
【課題を解決するための手段】
【０００６】
本発明は、上記の課題に鑑みてなされたものであって、軸筒内の前部にチャックを固定した芯タンクを軸線方向に対して摺動可能に収納すると共に、前記チャックを後方へ付勢する弾撥部材を配置し、また、前記芯タンクの外周面を被覆し、且つ、芯タンクの前部から後部へと軸線方向に対して摺動可能な錘を設け、その錘の慣性力で前記芯タンクを前進させ、その芯タンクの動きに連動して、チャックが拡開し、筆記体が順次、繰り出される筆記具において、前記芯タンクの前進状態を維持せしめるロック機構を配置すると共に、そのロック機構を前記芯タンクと連動可能な摺動部材の係合部と、その係合部が係合する開口部が形成された前記軸筒とから構成したことを要旨としている。
【発明の効果】
【０００７】
本発明は、軸筒内の前部にチャックを固定した芯タンクを軸線方向に対して摺動可能に収納すると共に、前記チャックを後方へ付勢する弾撥部材を配置し、また、前記芯タンクの外周面を被覆し、且つ、芯タンクの前部から後部へと軸線方向に対して摺動可能な錘を設け、その錘の慣性力で前記芯タンクを前進させ、その芯タンクの動きに連動して、チャックが拡開し、筆記体が順次、繰り出される筆記具において、前記芯タンクの前進状態を維持せしめるロック機構を配置すると共に、そのロック機構を前記芯タンクと連動可能な摺動部材の係合部と、その係合部が係合する開口部が形成された前記軸筒とから構成しているので、ロック時、ロック解除時も１つの動作ですむので良好な操作が得られる。
【発明を実施するための最良の形態】
【０００８】
作用について説明する。軸筒側面の軸線方向の開口部に形成したコの字形の板バネ状部を押圧操作によってロック及びロック機構を解除出来るようにしたので、部品のバラつき、相手部品との組み合わせ、使用による摩耗、経時などによる摩擦抵抗の軽減による不安定な動作もなく、アンダーカットのロック機構解除において、衝撃によるシャープペンシルの芯が飛び出す心配もない。
【０００９】
本発明の実施の形態の１例を図１〜図７に示し、説明する。本実施例は、先金部1と前軸部２と芯タンク部３と後軸部４から構成されている。
先金部１は先金５、戻り止め６の計２部品から構成されている。前軸部２は前軸７、グリップ８、ノック用スプリング９、スライダー１０の計４部品から構成されている。芯タンク部３はチャック１１、リング１２、中子１３、チャック用スプリング１４、錘受け１５、Ｏリング１６、芯タンク１７、錘１８、Ｏリング１９、錘抜け止め２０の計１０部品から構成されている。後軸部４は後軸２１、ノック２２、消しゴム受け２３、消しゴム２４の計４部品から構成されている。シャープペンシル芯２５は前記芯タンク部３の前記芯タンク１７の内径部１７ａに内蔵されている。
【００１０】
前記先金部１の先金５の内径部には、ゴム状弾性体からなる戻り止め６が圧入、固定されている。また、先金５の内面には、雌ねじ部５ａが形成されており、前記前軸７の前端に形成された雄ねじ部７ａと螺合されている。
ゴム状弾性体からなる前記グリップ８は、前記前軸部２の前記前軸７の前方に位置する小外径部７ｂに軽い圧入で装着されていて、リブ７ｃより回転しにくくなっている。前記ノック用スプリング９は前記前軸７に内装されており、段部７ｄにより前方へ行かないようになっている。前記スライダー１０は前記前軸７に内装され、前記ノック用スプリング９の後方に位置している。前記スライダー１０の後部には十角形外面１０ａが形成されていて前記前軸７の後端内径部にある十角形内面７ｅと軸線方向に対して前後に摺動可能で回転不在となっている。前記前軸７の大外径部７ｆに窓穴７ｇが設けられていて、前記スライダー１０の板バネ状部１０ｂにある係止部１０ｃにより、後方へ抜けないように係止されていると同時に前記ノック用スプリング９の弾撥力により、常に後方へ付勢されている。
【００１１】
前記ロック機構について説明する。前記窓穴７ｇと軸線方向に対してその窓穴７ｇの前方にスリット部７ｈ、更に、そのスリット部７ｈの前方にコの字窓穴７ｉが設けられている。そのコの字窓穴７ｉには、板バネ状部７ｊと凸部７ｋが配置されている。前記窓穴７ｇの形状は長手方向に若干長くなっており、芯の繰り出し操作におけるノック時のシャープペンシルの芯を繰り出す分の長さを有している。つまり、使用時、前記スライダー１０の係止部１０ｃは前記窓穴７ｇに係止されていて、携帯時などのロック時は前記コの字窓穴７ｉに係止されている。また、前記凸部７ｋを縮径方向に押圧すると前記板バネ状部７ｊが板バネのように弾性変形するようになっている。よって、その押圧動作を解除すると、元の位置に戻るようになっている。また、前記スリット部７ｈを介して前記窓穴７ｇと前記コの字窓穴７ｉが一部、連続している。その理由として、前記前軸７は、安価な樹脂製の射出成形品であり、その射出成形品の短所として、連続した窓穴の間に溶解した樹脂の合わせ目であるウェルドや焼けの発生がある。そのウェルドや焼けの発生により外観と強度を著しく悪くさせてしまう危険性がある。この問題を回避するため、溶解した樹脂の合わせ目を生じさせないように、前記窓穴７ｇと前記コの字窓穴７ｉの一部を連続させているのである。尚、金属製の前軸であるならば、前記ウェルドなどの問題が発生しないので、窓穴と窓穴の間を連続しなくとも良い。
【００１２】
前記芯タンク１７の外周面１７ｂにそれぞれゴム弾性体からなる前記Ｏリング１６が前端部１７ｃ、前記Ｏリング１９が後端部１７ｄに軽い圧入で装着されていて、更に、前記前端部１７ｃには錘受け１５、前記後端部１７ｄには錘抜け止め２０が圧入で固定されている。更に、前記外周面１７ｂに被覆するように、錘１８が自重で軸線方向に対して前後、摺動可能に設置され、且つ、前記錘受け１５と前記錘抜け止め２０によって、前後に摺動する距離が制限されている。
【００１３】
前記チャック１１の後端部には矢尻状凸部１１ａが形成されていて、前記芯タンク１７の前記前端部１７ｃの前記内径部１７ａに圧入、固定されていて、前記芯タンク１７に抜けないようになっている。そして、前記チャック１１の外周面に、且つ、テーパ凸部１１ｂによって、前記チャック１１と前記錘受け１５との間に軸線方向に対して前後、摺動可能に前方から後方にかけて前記リング１２、前記中子１３、前記チャック用スプリングの順に設置されている。この時、前記チャック用スプリング１４の弾撥力により、前記中子１３に対して常に後方へ付勢している。
前記芯タンク３は前記前軸７の内径部７ｌに軸線方向に対して回転自在に内装されていて、前記中子１３のフランジ部１３ａと前記前軸７の前端面７ｍに当接されていて、且つ、前記前軸７の雄ねじ部７ａと螺合されている前記先金５の段部５ｂにも前記フランジ部１３ａが当接されているので、前記中子１３は軸線方向に対して前後不動になっている。
【００１４】
前記後軸部４のノック２２は後軸２１に内包され、前記後軸２１の後端面２１ａと前記ノック２２の段部２２ａが当接し、且つ、前記後軸２１の段部２１ｂと前記ノック２２の係止部２２ｂにより前後不動ではあるものの回転自在に配置されている。前記ノック２２には、長手方向の対向する位置に長穴２２ｃが形成されており、また、前記後軸２１の内面には、螺旋溝部２１ｃが形成されている。
さらに、前記ノック２２の外径部２２ｄは前記後軸２１の内径部２１ｄに対して軽く圧入されている。つまり、前記ノック２２と前記後軸２１との相対的な回転は、前記外径部２２ｄの前記内径部２１ｄに対する軽圧入により摩擦抵抗が付与された状態での回転動作となるのである。この摩擦抵抗が付与されることによって、字消し時、消しゴム２４が容易には没入しないようになっている。前記消しゴム受け２３はノック２２に内包され、且つ、前記ノック２２の前記長穴２２ｃには前記消しゴム受け２３の凸部２３ａが摺動可能に嵌り込んでいる。
【００１５】
前記消しゴム受け２３に形成されている突起部２３ｂは、前記後軸２１の螺旋溝部２１ｃに嵌り込まれている。また、前記消しゴム２４は前記消しゴム２４の端部に形成されている係止部２４ａと前記消しゴム受け２３の内径部に形成されている係止部２３ｃにより固定されているが、前記消しゴム２４が弾性変形することによって着脱が可能となっている。
【００１６】
前記前軸部２と前記後軸部４は、前記スライダー１０の内径部に形成された凸状の４点リブ１０ｄと前記ノック２２の前方に形成された外径部２２ｅとの軽い圧入による嵌合によって連結されているものの、着脱が自在になっている。前記ノック２２は前記ノック２２の前端面２２ｆと前記スライダー１０の段部１０ｅで当接され、前進方向が規制されていて、更に、溝部２２ｇと凸部１０ｆにより、前記ノックが前記前軸部２に対して回転不在となっている。
そして、前記前軸部２と前記後軸部４とを相対的に回転させることによって、消しゴム受け２３は螺旋状に回転しながら軸線方向を摺動し、前記消しゴム２４が出没することが可能となる。
【００１７】
シャープペンシルの芯２５を補充する場合には、前記後軸部４を後方へ引き抜き、次いで、前記シャープペンシルの芯２５を前記錘抜け止め２０の貫通穴２０ａに挿入・補充すれば良い。
これにより、前記芯タンク７の内径部１７ａにシャープペンシルの芯が複数本内蔵させることが出来る。また、前記後軸部４を前軸部２へ再び嵌合させたい場合には、前記スライダー１０の前記４点リブ１０ｄと前記ノック２２の前記外径部２２ｅを嵌合させればよい。
【００１８】
次に、シャープペンシルの芯の繰り出し動作について説明する。後軸部４の後端部、つまり、ノック２２の段部２２ａを押圧すると、前記後軸部４が前進すると同時に当接している前端面２２ｆと段部１０ｅにより、スライダー１０も前進し始める。続いて、前記ノック２２の面２２ｈと錘抜け止め２０の端面２０ｂが当接し、前記芯タンク１７が前進する。前記芯タンク１７に圧入、固定されているチャック１１も前進し、チャックが拡開して、シャープペンシル芯２５が繰り出される。押圧をやめるとチャック用スプリング１４の弾撥力により、前記芯タンク１７が後退し、同様にノック用スプリング９の弾撥力により前記後軸部４も後退する。また、別のシャープペンシル芯の繰り出し動作では軸筒を持ち軸線方向に対して前後に振ることにより、錘１８が前方へ移動し、その慣性力でＯリング１６へ衝突し、その反動で前記芯タンク１７が前進して圧入、固定されている前記チャック１１も前進し、チャックが拡開して、前記シャープペンシル芯２５が繰り出される。それら動作を繰り返すことにより、順次、シャープペンシル芯が繰り出されることとなる。
尚、突出した状態にあるシャープペンシルの芯を没入させたい場合には、再び前記後軸部４を押圧してチャックを拡開させる。そして、その拡開動作を維持した状態で、シャープペンシルの芯を指などによって没入させる。勿論、チャックを拡開させた状態で紙面や机などに芯を押し当て没入させても良い。
【００１９】
次に、携帯時や繰り返しの振動などでシャープペンシル芯が繰り出さないようにするロック機構の動作を説明する。シャープペンシルの芯の繰り出し動作と同様に後軸部４を押圧し、繰り出し動作ストロークより、更に、押圧を進める。そうすると、スライダー１０の板バネ状部１０ｂの係止部１０ｃにある斜面１０ｇが前軸７のスリット部７ｈと当接し、その斜面に沿って前記係止部１０ｃが前記板バネ状部１０ｂの板バネの弾性力によって縮径方向へ撓み始める。このまま押圧を進めていくと、前記係止部１０ｃが前記板バネ状部１０ｂの板バネの弾性力によって元の状態に戻ろうとする力が発生しているため、前記前軸７のコの字窓穴７ｉに嵌り込む。この時、押圧操作をやめると、ノック用スプリング９の弾撥力の付勢により、前記係止部１０ｃが前記スリット部７ｈへ係止され、ロック状態となる。この時、前記シャープペンシル芯の繰り出し動作の記述にもあるように、前記後軸４が押圧されている状態を維持していることとなる。つまり、チャック１１が拡開した状態を維持しているため、シャープペンシル芯が繰り出されなくなる。仮に、シャープペンシル芯が出ていた状態であってもシャープペンシル芯は戻り止め６にシャープペンシル芯が落下しない程度の非常に軽い力で圧入されているのでシャープペンシルの芯を指、紙面や机などに芯を軽く押し当てると、没入されてしまうため、シャープペンシル芯が折損されることはない。
【００２０】
次に、ロック機構の解除の動作を説明する。前軸７のコの字窓穴７ｉの板バネ状部７ｊにある凸部７ｋを縮径方向に押圧する。すると、前記板バネ状部７ｊが縮径方向に撓み、スライダー１０の板バネ状部１０ｂと当接し、前記板バネ状部１０ｂも縮径方向に撓み始める。スリット部７ｈに係止されていた係止部１０ｃの係止が解除され、ノック用スプリング９の弾撥力の付勢により、前記スライダー１０と前記スライダー１０の４点リブ１０ｄと前記ノック２２の前記外径部２２ｅに嵌合されている後軸部４が後退し始める。前記係止部１０ｃが前記板バネ状部１０ｂの板バネの弾性力によって元の状態に戻ろうとする力が発生しているため、前記前軸７の窓穴７ｇに嵌り込まれ、ロック状態が解除される。
【産業上の利用可能性】
【００２１】
本実施例では、部品の肉厚や強度などにより前軸７とスライダー１０の回り止めとして十角形を採用しているが、四角形や六角形でも良く、また溝状にしても良く、回転しないようしてあれば適宜選択しても良い。
なお、前記Ｏリング１６とＯリング１９は錘１８の衝撃を緩和させ、且つ、衝撃音を軽減するために設置してあるので必要なければ、外しても構わない。更に、前記錘受け１５と前記抜け止め２０は圧入して固定されているが、ねじ螺合でも良く、錘の衝撃で外れなければ、その固定方法は適宜選択しても構わない。また、前記錘１８は鋼線をコイル状に巻いて作ってあるが、円筒状の管でも良く、シャープペンシルの芯を繰り出せるほどの慣性力を生み出せるものであれば、その材質や形状、大きさなど適宜選択しても良い。
さらに、ノック用スプリング９とチャック用スプリング１４は部品のスペースの制約によりコイルスプリングを採用しているが、弾撥部材であれば、の材質や形状、大きさなど適宜選択しても良い。
【００２２】
第２例を図８に示し説明する。各部品の構成と位置は本実施例と同じで、相違点は解除リング２６が追加されている。その解除リング２６は前軸２７に対して軸線方向に摺動可能で、且つ、前軸２７の凸部２７ａとグリップ２８により前後に規制されている。ロック手順も本実施例と同じ動作を行うが、ロック解除操作が異なる。
次に、そのロック機構の解除の動作を説明する。後軸部２９はスライダー３０の係止部３０ａと前記前軸２７のコの字窓穴２７ｂの前記凸部２７ａによってロック状態が維持されている。前記解除リング２６を軸線方向に対して後退させる。この動作により、前記解除リング２６の斜面２６ａと前記前軸２７の本実施例の凸部７ｋと同様の働きをする係止部２７ｃが当接する。更に、前記解除リング２６を後退させると前軸７のコの字窓穴７ｉにある板バネ状部７ｊと同じ働きをする板バネ状部２７ｄが縮径方向に撓み、前記スライダー３０の板バネ状部３０ｂと当接し、前記板バネ状部３０ｂも縮径方向に撓み始める。その撓み動作によって、前記凸部２７ａに係止されていた係止部３０ａの係止が解除され、ノック用スプリング３１の弾撥力の付勢により、前記スライダー３０と前記スライダー３０の４点リブ３０ｃと前記ノック３２の前記外径部３２ａに嵌合されている前記後軸部２９が後退し始める。この時、前記係止部３０ａが前記板バネ状部３０ｂの板バネの弾性力によって元の状態に戻ろうとする力が発生しているため、前記前軸２７の窓穴２７ｅに嵌り込まれ、ロック状態が解除される。最後に、前記解除リング２６を前進させ、元の位置に戻す。
【図面の簡単な説明】
【００２３】
【図１】本発明の後端ノック式筆記具の実施例斜視図である。
【図２】本発明の後端ノック式筆記具の実施例切断斜視図である。
【図３】図１の後端ノック式筆記具の窓穴側を正面とした時の右側面断面図である。
【図４】図１の後端ノック式筆記具の窓穴側を正面とした時のロック時の右側面断面図である。
【図５】図４のロック時のロック機構部の拡大図である。
【図６】図４のロック解除時のロック機構部の拡大図である。
【図７】図１の後端ノック式筆記具の分解斜視図である。
【図８】第２例を示す後端ノック式筆記具のロック時の実施例切断斜視図である。
【符号の説明】
【００２４】
１    先金部
２    前軸部
３    芯タンク部
４    後軸部
５    先金
５ａ  雌ねじ部
５ｂ  段部
６    戻り止め
７    前軸
７ａ  雄ねじ部
７ｂ  小外径部
７ｃ  リブ
７ｄ  段部
７ｅ  十角形内面
７ｆ  大外径部
７ｇ  窓穴
７ｈ  スリット部
７ｉ  コの字窓穴
７ｊ  板バネ状部
７ｋ  凸部
７ｌ  内径部
７ｍ  前端面
８    グリップ
９    ノック用スプリング
１０    スライダー
１０ａ  十角形外面
１０ｂ  板バネ状部
１０ｃ  係止部
１０ｄ  ４点リブ
１０ｅ  段部
１０ｆ  凸部
１０ｇ  斜面
１１    チャック
１１ａ  矢尻状凸部
１１ｂ  テーパ凸部
１２    リング
１３    中子
１３ａ  フランジ部
１４    チャック用スプリング
１５    錘受け
１６    Ｏリング
１７    芯タンク
１７ａ  内径部
１７ｂ  外周面
１７ｃ  前端部
１７ｄ  後端部
１８    錘
１９    Ｏリング
２０    錘抜け止め
２０ａ  貫通穴
２０ｂ  端面
２１    後軸
２１ａ  後端面
２１ｂ  段部
２１ｃ  螺旋溝部
２１ｄ  内径部
２２    ノック
２２ａ  段部
２２ｂ  係止部
２２ｃ  長穴
２２ｄ  外径部
２２ｅ  外径部
２２ｆ  前端面
２２ｇ  溝部
２２ｈ  面
２３    消しゴム受け
２３ａ  凸部
２３ｂ  突起部
２３ｃ  係止部
２４    消しゴム
２４ａ  係止部
２５    芯
２６    解除リング
２６ａ  斜面
２７    前軸
２７ａ  凸部
２７ｂ  コの字窓穴
２７ｃ  係止部
２７ｄ  板バネ状部
２７ｅ  窓穴
２８    グリップ
２９    後軸部
３０    スライダー
３０ａ  係止部
３０ｂ  板バネ状部
３０ｃ  ４点リブ
３１    ノック用スプリング
３２    ノック
３２ａ  外径部
【図１】
2010149432.tif 000003
【図２】
2010149432.tif 000004
【図３】
2010149432.tif 000005
【図４】
2010149432.tif 000006
【図５】
2010149432.tif 000007
【図６】
2010149432.tif 000008
【図７】
2010149432.tif 000009
【図８】
2010149432.tif 000010